(57)【要約】【課題】多くの情報を台紙に印刷することができ、かつ容易に、怪我をすることなく商品を取り出すことができ、しかも万引きの防止にもつながるブリスターパックの提供を課題とする。【解決手段】商品１６を収容する容器部３の開口周縁にフランジ部４が形成されたブリースターケース２と、二層又は三層以上に折り重ねられたねもしくは積み重ねられた台紙５であって、その正面側台紙片６には、前記容器部３に相当する形状の窓穴１０が穿設された商品説明用台紙５とからなり、前記ブリスターズケースの容器部３が、前記台紙５の窓穴１０に挿入され、前記フランジ部４が前記台紙５の正面側台紙片６及び背面側台紙片７の間に挟持されるとともに、前記台紙５の内面には剥離糊が塗布されるか又は熱圧着フィルム（シークレットフィルム）が貼り合わされ、前記正面側台紙片６及び背面側台紙片７が貼着されていること特徴とするブリスターパック１。【選択図】図１
2004250030.tif 000002
【特許請求の範囲】
【請求項１】
商品を収容する容器部の開口周縁にフランジ部が形成されたブリースターケースと、二層又は三層以上の多層に折り重ねもしくは積み重ねられた台紙であって、その正面側台紙片には、前記容器部に相当する形状の窓穴が穿設された商品説明用台紙とからなり、前記ブリスターケースの容器部が、前記台紙の窓穴に挿入され、前記フランジ部が前記台紙の正面側台紙片及び背面側台紙片の間に挟持されるとともに、前記台紙の内面には剥離糊が塗布されるか又は熱圧着フィルムが貼り合わされて、前記正面側台紙片及び背面側台紙片が貼着されていることを特徴とするブリスターパック。
【請求項２】
前記正面側台紙片、前記背面側台紙片、又は前記正面側及び背面側の両台紙片は、直線からなる切断線、曲線からなる切断線、又は直線部分と曲線部分の組合せからなる切断線により、それぞれ二枚の部分片に分割されていることを特徴とする請求項１記載のブリスターパック。
【請求項３】
前記切断線は、前記台紙片の対向する両縁部にわたって、上下に、左右に、又は任意の角度で斜めに伸びて、かつ、前記正面側台紙片にあっては、前記窓穴を通り越えるように、前記背面側台紙片にあっては、前記窓穴に対応する部位を通り過すように形成されていることを特徴とする請求項１記載のブリスターパック。
【請求項４】
前記台紙の内面には、商品の取り扱い説明書、保証書、注意書き、効能書きなどの商品に関する情報が印刷されていることを特徴とする請求項１ないし３のうちいずれか一項記載のブリスターパック。
【請求項５】
前記台紙の内面には、懸賞くじ、割引点数、返信用はがきなどの商品購入の促進のための情報が印刷されていることを特徴とする請求項１ないし３のうちいずれか一項記載のブリスターパック。
【発明の詳細な説明】
【０００１】
【発明の属する技術分野】
本発明は、様々な商品を陳列し販売する際に用いられるブリスターパックに関するものである。
【０００２】
【従来技術】
近年、口紅等の化粧品や、携帯電話の充電器等の小型電機部品等の各種商品を陳列し、販売する際、ブリスターケースと厚紙などの台紙からなるブリスターパックが広く使用されている。
【０００３】
従来のブリスターパックのうち最も汎用されているものの例としては、図１４に示すような、ブリスターケース２８が、商品名、広告宣伝等のかかれた台紙３０の正面３１の全体を覆い、ブリスターケース２８の左右及び上部の端縁部分２９を台紙３０の背面３２側に折り返し、そして商品３３の固定のために、台紙３０とブリスターケース２８をステープル３４で止めたブリスターパック２７がある（例えば、特許文献１参照）。
【０００４】
【特許文献１】
特開２００１−３４８０５８［第１−６頁］
【０００５】
【本発明が解決しようとする課題】
しかしながらこのようなブリスターパックは、台紙とブリスターケースがステープルで止められているので、消費者が商品を取り出すのが容易ではなく、さらにその際、ステープルにより怪我をする危険性があるという問題があった。
【０００６】
さらに近年の万引き行為の手口として、ブリスターパックから、中身の商品だけを取り出すという手法が採られることが多く、例えば従来のブリスターパックでは、ブリスターパックから中身の商品が抜き出された後、ブリスターケースと台紙はステープルで止められているだけなので、もとの状態にもどせ、そのため万引き行為が行なわれたとしても、ブリスターパックに最初から商品が入っていなかったものと偽装することができる。そこでより有効に万引き行為を防止するために、背面側に折り返されたブリスターケースの端縁部分と、台紙をさらにテープで止めるという方法が採られることがあるが、これには非常に手間がかかるという問題があった。
【０００７】
又、従来のブリスターパックでは、台紙の表面及び裏面の２面にしか印刷をする場所がなく、そのうち、台紙の表面には、商品の購買意欲を促進するために商品の宣伝用の写真や絵を印刷するため、商品の取り扱い説明書、保証書、注意書き、効能書きなどの商品に関する情報を印刷できるのは、裏面の１面のみであり、そのため商品に関する十分な情報を台紙に印刷することが難しかった。
【０００８】
本発明は、かかる従来の事情を考慮してなされたものであって、その課題とするところは、多くの情報を台紙に印刷することができ、かつ容易に、怪我をすることなく商品を取り出すことができ、しかも万引きの防止にもつながるブリスターパックの提供にある。
【０００９】
【課題を解決するための手段】
本発明は、前記課題を解決するために、工夫されたものであり、より詳しくは、商品を収容する容器部の開口周縁にフランジ部が形成されたブリースターケースと、二層又は三層以上の多層に折り重ねもしくは積み重ねられた台紙であって、その正面側台紙片には、前記容器部に相当する形状の窓穴が穿設された商品説明用台紙とからなり、前記ブリスターケースの容器部が、前記台紙の窓穴に挿入され、前記フランジ部が前記台紙の正面側台紙片及び背面側台紙片の間に挟持されるとともに、前記台紙の内面には剥離糊が塗布されるか又は熱圧着フィルム（シークレットフィルム）が貼り合わされ、前記正面側台紙片及び背面側台紙片が貼着されていることを特徴とするブリスターパックに関する。
【００１０】
二層又は三層以上の多層に折り重ねられた台紙とは、１枚の台紙を、折り目に基づいて折り重ねることにより、二層又は三層以上の多層に形成された台紙を意味し、二層又は三層以上の多層に積み重ねられた台紙とは、形成しようとする層数の台紙を積み重ねることにより、二層又は三層以上の多層に形成された台紙を意味する。台紙は、折り重ねることのみ、積み重ねることのみによって二層又は三層以上の多層に形成されたものでもよく、また一部を折り重ね、一部を積み重ねることにより、二層又は三層以上の多層に形成されたものでもよい。本明細書において、台紙の外面とは、折り重ねもしくは積み重ねられた台紙の正面及び背面を指し、台紙の内面とは、該台紙のその他内側の面を指す。
【００１１】
本発明の好ましい態様は、前記ブリスターパックにおいて、前記正面側台紙片、前記背面側台紙片、又は前記正面側及び背面側の両台紙片は、直線からなる切断線、曲線からなる切断線、又は直線部分と曲線部分の組合せからなる切断線により、それぞれ二枚の部分片に分割されていることを特徴とするブリスターパックに関する。さらに本発明の好ましい態様は、前記切断線が、前記台紙片の対向する両縁部にわたって、上下に、左右に、又は任意の角度で斜めに伸びて、かつ、前記正面側台紙片にあっては、前記窓穴を通り超えるように、前記背面側台紙片にあっては、前記窓穴に対応する部位を通り過すように形成されていることを特徴とするブリスターパックに関する。
【００１２】
また、本発明の別の好ましい態様は、前記ブリスターパックにおいて、前記台紙の内面には、商品の取り扱い説明書、保証書、注意書き、効能書きなどの商品に関する情報が印刷されていることを特徴とするブリスターパックに関する。
【００１３】
本発明のさらに好ましい態様は、前記ブリスターパックにおいて、前記台紙の内面には、懸賞くじ、割引点数、アンケート、クイズ、返信用はがきなどの商品購入の促進のための情報が印刷されていることを特徴とするブリスターパックに関する。
【００１４】
【発明の実施の形態】
以下、本発明を図面を参照にして詳しく説明する。図１は、実施例１のブリスターパックを示す斜視図である。図２は、実施例１のブリスターパックの作製方法を示す説明図である。図３は、実施例２のブリスターパックを示す斜視図である。図４は、実施例２のブリスターパックの作製方法を示す説明図である。図５は、実施例３のブリスターパックを示す斜視図である。図６は、実施例３のブリスターパックの作製方法を示す説明図である。図７ないし図１１はそれぞれ、実施例４ないし８のブリスターパックを示す斜視図である。図１２は、実施例９のブリスターパックを示す斜視図である。図１３は、実施例９のブリスターパックの作製方法を示す説明図である。
【００１５】
実施例１
図１に図示するブリスターパック１は、商品１６を収容するブリスターケース２と、このブリスターケース２を固定する二層に折り重ねられた台紙５とで構成されている。
【００１６】
ブリスターケース２は、商品１６が収容される容器部３の開口周縁にフランジ部４が形成された透明なプラスチック製ケースである。
【００１７】
台紙５は、１箇所の角部１１において一方の台紙片の一部が切除された台紙片を二層に折り重ねた厚紙等の紙製のものである。この台紙の正面側台紙片６には、ブリスターケース２の容器部３を挿入するために、容器部３に相当する形状の窓穴１０が穿設されており、この窓穴１０はその縁部でブリスターケース２のフランジ部４が係止しうる寸法となっている。また二層に折り重ねられる台紙５の内面８（図２）及び外面９には、商品の取り扱い説明書、保証書、注意書き、効能書きなどの商品に関する情報１２が印刷されており、更に台紙５の内面８には、懸賞くじ、割引点数などの商品購入の促進のための情報１３が印刷されている（図２）。而してブリスターケース２の容器部３が正面側台紙片６の窓穴１０に通されそして台紙５の正面側台紙片６及び背面側台紙片７の間にブリスターケース２のフランジ部４が挟持されている。
【００１８】
実施例１のブリスターパック１の作製方法を図２を用いて説明する。まずは厚紙等の紙に商品名の取り扱い書等の商品に関する情報１２、及び懸賞くじ等の商品購入の促進のための情報１３を印刷し、熱圧着フィルム（シークレットフィルム）１５を片面の全面に貼り合わせる。熱圧着フィルム（シークレットフィルム）１５としては、例えば、ケーディーケー株式会社製のハガキフィルムを使用し得る。次に台紙５を形成する。そしてブリスターケース２の容器部３内に商品１６を収納し、その容器部３を、台紙５の窓穴１０に挿入し、背面側台紙片７を、その内面８を内側とし台紙中央の水平線の折り目１７に基づいて正面側台紙片６の上に二層に折り重ね、加熱することにより、フランジ部４を台紙５の正面側台紙片６及び背面側台紙片７の間に挟持させるとともに、正面側台紙片６及び背面側台紙片７を貼着させる。
【００１９】
又熱圧着フィルム（シークレットフィルム）１５の代わりに剥離糊１４を使用することもできる。剥離糊１４を用いた場合の実施例１のブリスターパック１の作製方法を図２を用いて説明する。まず厚紙等の紙に商品名の取り扱い書等の商品に関する情報１２、及び懸賞くじ等の商品購入の促進のための情報１３を印刷する。次に、その厚紙が台紙５として形成されたものを準備し、剥離糊１４を塗布し、ブリスターケース２の容器部３内に商品１６を収納し、その容器部３を、台紙５の窓穴１０に挿入し、背面側台紙片７を、その内面８を内側とし台紙中央の水平線の折り目１７に基づいて正面側台紙片６の上に二層に折り重ねることにより、フランジ部４を台紙５の正面側台紙片６及び背面側台紙片７の間に挟持させるとともに、正面側台紙片６及び背面側台紙片７を貼着させる。
【００２０】
このように、上述の形態によれば、ブリスターケース２のフランジ部４が台紙５の正面側台紙片６及び背面側台紙片７の間に挟持され、剥離糊１４または熱圧着フィルム（シークレットフィルム）１５により正面側台紙片６及び背面側台紙片７が貼着されているので、ブリスターケース２が台紙５にしっかり固定される。しかる後、商品１６は、折り重ね貼着された台紙５の正面側台紙片６及び背面側台紙片７を、切除された角部１１から剥離することにより、取り出すことができるので、ステープルで止める必要がなく、そのため消費者は、容易に、かつ安全に商品１６を取り出すことができる。さらに商品１６を取り出した後の、ごみの分別も、プラスチック製品（ブリスターケース２）と紙（台紙５）の２種類なので、簡単に分別することができる。
【００２１】
又、本発明の態様では正面側台紙片６及び背面側台紙片７は、剥離糊１４または熱圧着フィルム（シークレットフィルム）１５により貼着しており、商品１６を取り出すために、一度剥離すると正面側台紙片６と背面側台紙片７は二度と貼着しないので、万引き行為によりブリスターパック２から中身の商品１６が抜き出されると、ブリスターケース２と台紙５はもとの状態にもどらない。よって万引き行為をしなかった如く偽装することができず、従来よりも万引きの防止にもつながる。
【００２２】
更に本発明の態様では、台紙５を二層に折り重ね使用するため、台紙の外側の２面及び内側の２面の合計４面に印刷を行なうことができ、従って商品の取り扱い説明書、保証書、注意書き、効能書きなどの商品に関する多くの情報を台紙に印刷することができる。あるいは、正面側台紙片６及び背面側台紙片７の内面８は貼着されているので、商品１６を取り出す際、剥離するまで見ることができないので、懸賞くじ、割引点数、アンケート、クイズ、返信用はがきなどの情報を印刷することにより、消費者の射幸心をあおり、商品購入を促進することができる。
【００２３】
実施例２
図３に図示するブリスターパック１は、商品１６を収容するブリスターケース２と、このブリスターケース２を固定する三層に折り重ねられた台紙５とで構成されている。
【００２４】
ブリスターケース２については、実施例１の説明で記載したものと同様である。
【００２５】
台紙５は、三層に折り重ねられる構造のものならば、どのような形状でも良く、例えばＬ字型をしており、角部１１において２つの台紙片の一部が切除された台紙５を三層に折り重ねた厚紙等の紙製のものである。この台紙の正面側台紙片６には、ブリスターケース２の容器部３を挿入するために、容器部３に相当する形状の窓穴１０が穿設されており、この窓穴１０はその縁部でブリスターケース２のフランジ部４が係止しうる寸法となっている。また三層に折り重ねられる台紙５の内面８及び外面９には、商品の取り扱い説明書、保証書、注意書き、効能書きなどの商品に関する情報１２が印刷されており、更に台紙５の内面８には、懸賞くじ、割引点数などの商品購入の促進のための情報１３が印刷されている（図４）。またブリスターケース２の容器部３が正面側台紙片６の窓穴１０に通されそして台紙５の正面側台紙片６及び正面側台紙片６の側面にある背面側台紙片７ａの間にブリスターケース２のフランジ部４が挟持され、その背面側台紙片７ａの上に、正面側台紙片６の上部にある背面側台紙片７ｂが折り重ねられている。
【００２６】
実施例２のブリスターパック１の作製方法を図４を用いて説明する。まずは厚紙等の紙に商品名の取り扱い書等の商品に関する情報１２、及び懸賞くじ等の商品購入の促進のための情報１３を印刷し、熱圧着フィルム（シークレットフィルム）１５を両面の全面に貼り合わせる。次に厚紙をＬ字型に打ち抜き、台紙５を形成する。そしてブリスターケース２の容器部３内に商品１６を収納し、その容器部３を、台紙５の窓穴１０に挿入し、正面側台紙片６の側部にある背面側台紙片７ａを、その内面８を内側とし垂直線の折り目１８に基づいて、正面側台紙片６の上に折り重ね、フランジ部４を台紙５の正面側台紙片６及び背面側台紙片７ａの間に挟持させ、続いて、正面側台紙片６の上部にある背面側台紙片７ｂを、その内面８を内側とし水平線の折り目１７に基づいて、先に折り重ねた背面側台紙片７ａの上にさらに折り重ね、加熱することにより貼着させる。この際使用される熱圧着フィルム（シークレットフィルム）１５は、図１の説明で記載したものと同様である。
【００２７】
又熱圧着フィルム（シークレットフィルム）１５の代わりに剥離糊１４を使用した場合の実施例２のブリスターパック１の作製方法を図４を用いて説明する。まず厚紙等の紙に商品名の取り扱い書等の商品に関する情報１２、及び懸賞くじ等の商品購入の促進のための情報１３を印刷する。次に、その厚紙が台紙５として形成されたものを準備し、剥離糊１４を塗布し、ブリスターケース２の容器部３内に商品１６を収納し、その容器部３を、台紙５の窓穴１０に挿入し、正面側台紙片６の側部にある背面側台紙片７ａを、その内面８を内側とし垂直線の折り目１８に基づいて、正面側台紙片６の上に折り重ね、フランジ部４を台紙５の正面側台紙片６及び背面側台紙片７ａの間に挟持させ、続いて、正面側台紙片６の上部にある背面側台紙片７ｂを、その内面８を内側とし水平線の折り目１７に基づいて、先に貼着させた背面側台紙片７ａの上にさらに折り重ねることにより貼着させる。この際使用される剥離糊１４は、図１の説明で記載したものと同様である。
【００２８】
三層に折り重ねられる構造の台紙を用いる場合は、実施例２で示したような、１枚の正面側台紙片６と２枚の背面側台紙片７ａ、７ｂという構成の台紙５だけではなく、２枚の正面側台紙片と１枚の背面側台紙片という構成の台紙を用いることもでき、その場合、台紙は、ブリスターケース２のフランジ部４が台紙の正面側台紙片及び背面側台紙片の間に挟持されるように折り重ね、貼着させられる。
【００２９】
このように、上述の形態によれば、正面側台紙片６の側部にある背面側台紙片７ａと正面側台紙片６の上部にある背面側台紙片７ｂと正面側台紙片６とが折り重ね貼着されているので、商品１６を取り出すためには、台紙片を二度剥離しなければならない。そのため、実施例１のブリスターパック１に比べ商品１６が取り出しにくく、商品１６を取り出すのに時間がかかるので、さらなる万引き防止につながる。
【００３０】
又、台紙５を三層に折り重ね使用するため、台紙の外側の３面及び内側の３面の合計６面に印刷を行なうことができ、従って実施例１のブリスターパック１に比べ、多くの情報を台紙に印刷することができる。
【００３１】
実施例３
図５に図示するブリスターパック１は、商品１６を収容するブリスターケース２と、このブリスターケース２を固定する四層に折り重ねられた台紙５とで構成されている。
【００３２】
ブリスターケース２については、実施例１の説明で記載したものと同様である。
【００３３】
台紙５は、四層に折り重ねられる構造のものならば、どのような形状でも良く、例えばＴ字型をしており、角部１１において２つの台紙片の一部が切除された台紙５を四層に折り重ねた紙製のものである。この台紙の正面側台紙片６には、ブリスターケース２の容器部３を挿入するために、容器部３に相当する形状の窓穴１０が穿設されており、この窓穴１０はその縁部でブリスターケース２のフランジ部４が係止しうる寸法となっている。また四層に折り重ねられる台紙５の内面８及び外面９には、商品の取り扱い説明書、保証書、注意書き、効能書きなどの商品に関する情報１２が印刷されており、更に台紙５の内面８には、懸賞くじ、割引点数などの商品購入の促進のための情報１３が印刷されている（図６）。またブリスターケース２の容器部３が正面側台紙片６の窓穴１０に通されそして台紙５の正面側台紙片６及び正面側台紙片６の左側にある背面側台紙片７ｃの間にブリスターケース２のフランジ部４が挟持され、その背面側台紙片７ｃの上に、背面側台紙片７ｄが折り重ねられ、更にその上に、背面側台紙片７ｅが折り重ねられている。
【００３４】
実施例３のブリスターパック１の作製方法を図６を用いて説明する。まずは厚紙等の紙に商品名の取り扱い書等の商品に関する情報１２、及び懸賞くじ等の商品購入の促進のための情報１３を印刷し、熱圧着フィルム（シークレットフィルム）１５を両面の全面に貼り合わせる。次に厚紙をＴ字型に打ち抜き、台紙５を形成する。そしてブリスターケース２の容器部３内に商品１６を収納し、その容器部３を、台紙５の窓穴１０に挿入し、正面側台紙片６の左側にある背面側台紙片７ｃを、その内面８を内側とし左側の垂直線の折り目１９に基づいて、正面側台紙片６の上に折り重ね、フランジ部４を台紙５の正面側台紙片６及び背面側台紙片７ｃの間に挟持させ、続いて、正面側台紙片６の右側にある背面側台紙片７ｄをその内面８を内側とし右側の垂直線の折り目１８に基づいて、先に折り重ねた背面側台紙片７ｃの上にさらに折り重ね、最後に、正面側台紙片６の上部にある背面側台紙片７ｅも、その内面８を内側とし水平線の折り目１７に基づいて、先に折り重ねた背面側台紙片７ｄの上に折り重ね、加熱することにより貼着させる。この際使用される熱圧着フィルム（シークレットフィルム）１５は、図１の説明で記載したものと同様である。
【００３５】
又熱圧着フィルム（シークレットフィルム）１５の代わりに剥離糊１４を使用した場合の実施例３のブリスターパック１の作製方法を図６を用いて説明する。まず厚紙等の紙に商品名の取り扱い書等の商品に関する情報１２、及び懸賞くじ等の商品購入の促進のための情報１３を印刷する。次に、その厚紙が台紙５として形成されたものを準備し、剥離糊１４を塗布し、ブリスターケース２の容器部３内に商品１６を収納し、その容器部３を、台紙５の窓穴１０に挿入し、正面側台紙片６の左側にある背面側台紙片７ｃを、その内面８を内側とし左側の垂直線の折り目１９に基づいて、正面側台紙片６の上に折り重ね、フランジ部４を台紙５の正面側台紙片６及び正面側台紙片６の左側にある背面側台紙片７ｃの間に挟持させ、続いて、正面側台紙片６の右側にある背面側台紙片７ｄをその内面８を内側とし右側の垂直線の折り目１８に基づいて、先に貼着させた背面側台紙片７ｃの上にさらに折り重ね、最後に、正面側台紙片６の上部にある背面側台紙片７ｅも、その内面８を内側とし水平線の折り目１７に基づいて、先に貼着させた背面側台紙片７ｄの上に折り重ね、貼着させる。この際使用される剥離糊１４は、図１の説明で記載したものと同様である。
【００３６】
四層に折り重ねられる構造の台紙を用いる場合は、実施例３で示したような、１枚の正面側台紙片６と３枚の背面側台紙片７ｃ、７ｄ、７ｅという構成の台紙５だけではなく、２枚の正面側台紙片と２枚の背面側台紙片という構成の台紙、３枚の正面側台紙片と１枚の背面側台紙片という構成の台紙を用いることもでき、その場合、台紙５は、ブリスターケース２のフランジ部４が台紙の正面側台紙片及び背面側台紙片の間に挟持されるように折り重ね、貼着させられる。
【００３７】
このように、上述の形態によれば、正面側台紙片６の右側にある背面側台紙片７ｄと正面側台紙片６の上部にある背面側台紙片７ｅ、正面側台紙片６の左側にある背面側台紙片７ｃと正面側台紙片６とが折り重ね貼着されているので、商品１６を取り出すためには、台紙片を三度剥離しなければならない。そのため、実施例１及び実施例２のブリスターパック１に比べ商品１６が取り出しにくく、商品１６を取り出すのに時間がかかるので、さらなる万引き防止につながる。
【００３８】
又台紙５を四層に折り重ね使用するため、台紙の外側の４面及び内側の４面の合計８面に印刷を行なうことができ、従って実施例１及び実施例２のブリスターパック１に比べ、多くの情報を台紙に印刷することができる。
【００３９】
実施例４ないし８
図７ないし図１１に図示するブリスターパック１は、台紙５の正面側台紙片６、背面側台紙片７、又は正面側及び背面側の両台紙片６、７が、対向する両縁部にわたって、上下に、左右に、又は任意の角度で斜めに伸びて、かつ、正面側台紙片６にあっては、窓穴９を通り超えるように、背面側台紙片７にあっては、窓穴に対応する部位２６を通り過すように直線からなる切断線２０ａ、２０ｂ、曲線からなる切断線２１、又は直線部分２２と曲線部分２３の組合せからなる切断線２４ａ、２４ｂにより、それぞれ二枚の部分片２５、２５に分割されている二層に折り重ねられた台紙５を用いたブリスターパック１である。
【００４０】
具体的には、図７に図示された実施例４のブリスターパック１は、背面側台紙片７が、上下に伸びる直線からなる切断線２０ａによりそれぞれ二枚の部分片２５、２５に左右分割されている。図８に図示された実施例５のブリスターパック１は、背面側台紙片７が、左右に伸びる直線からなる切断線２０ｂによりそれぞれ二枚の部分片２５、２５に上下分割されている。図９に図示する実施例６のブリスターパック１は、背面側台紙片７が、直線部分２２と曲線部分２３の組合せからなる上下に伸びる切断線２４ａにより、それぞれ二枚の部分片２５、２５に左右分割されている。図１０に図示された実施例７のブリスターパック１は、背面側台紙片７が、任意の角度で斜めに伸びる、直線部分２２と曲線部分２３の組合せからなる切断線２４ｂによりそれぞれ二枚の部分片２５、２５に分割されている。図１１に図示された実施例８のブリスターパック１は、曲線からなる切断線２１により、それぞれ二枚の部分片２５、２５に分割されている。
【００４１】
その他の構成は、上記実施例１ないし３と同様である。図７ないし図１１のようなブリスターパック１では、その構造上、台紙５の背面側台紙片７は１枚である。
【００４２】
図７ないし図１１のようなブリスターパック１は、正面側台紙片６、背面側台紙片７、又は正面側及び背面側の両台紙片６、７が、切断線２０ａ、２０ｂ、２１、２４ａ又は２４ｂにより、それぞれ二枚の部分片２５、２５に分割され貼着されているので、商品１６を取り出すためには、二枚の部分片２５、２５を剥離しなければならない。そのため、実施例１のブリスターパック１に比べ商品１６が取り出しにくく、商品１６を取り出すのに時間がかかるので、さらなる万引き防止につながる。
【００４３】
実施例９
図１２に図示するブリスターパック１は、商品１６を収容するブリスターケース２と、二層に折り重ねられる台紙５ａと、その台紙５ａを二層に折り重ねる際、台紙５ａの正面側台紙片６と背面側台紙片７の間に、積み重ねられる（挟み込まれる）台紙片５ｂとで構成されている。
【００４４】
ブリスターケース２については、実施例１の説明で記載したものと同様である。
【００４５】
台紙５ａは、一箇所の角部１１において一方の台紙片の一部が切除された二つの台紙片を二層に折り重ねた厚紙等の紙製のものであり、また台紙片５ｂは、角部１１において一部が切除された厚紙等の紙製のものである。台紙５ａの正面側台紙片６には、ブリスターケース２の容器部３を挿入するために、容器部３に相当する形状の窓穴１０が穿設されており、この窓穴１０はその縁部でブリスターケース２のフランジ部４が係止しうる寸法となっている。また台紙５ａの内面８及び外面９、台紙片５ｂの両面には、商品の取り扱い説明書、保証書、注意書き、効能書きなどの商品に関する情報１２が印刷されており、更に必要により台紙５ａの内面８及び台紙片５ｂの両面には、懸賞くじ、割引点数などの商品購入の促進のための情報１３が印刷されている（図１３）。またブリスターケース２の容器部３が正面側台紙片６の窓穴１０に通され、そして台紙５ａの正面側台紙片６の上に、台紙片５ｂを積み重ねることにより、台紙５ａの正面側台紙片６と台紙片５ｂの間に、ブリスターケース２のフランジ部４が挟持され、さらに台紙５ａの背面側台紙片７が、台紙片５ｂの上に折り重ねられている。
【００４６】
実施例９のブリスターパック１の作製方法を図１３を用いて説明する。厚紙等の紙に商品名の取り扱い書等の商品に関する情報１２、及び懸賞くじ等の商品購入の促進のための情報１３を印刷し、熱圧着フィルム（シークレットフィルム）１５を片面の全面に貼り合わせる。次に厚紙を打ち抜き、台紙５ａを形成する。又、厚紙等の紙に同様に印刷し、熱圧着フィルム（シークレットフィルム）１５を両面の全面に貼り合わせ、厚紙を打ち抜き、台紙５ｂを形成する。そして、ブリスターケース２の容器部３内に商品１６を収納し、その容器部３を、台紙５ａの窓穴１０に挿入し、台紙片５ｂを、台紙５ａの正面側台紙片６の上に積み重ね、フランジ部４を台紙５ａの正面側台紙片６及び台紙片５ｂの間に挟持させ、続いて、台紙５ａの背面側台紙片７を、その内面８を内側とし水平線の折り目１７に基づいて、先に積み重ねた台紙片５ｂの上に折り重ね、加熱することにより貼着させる。この際使用される熱圧着フィルム（シークレットフィルム）１５は、図１の説明で記載したものと同様である。
【００４７】
このような上述の形態によれば、台紙が三層以上の多層の構造を有するブリスターパック１を作製する場合、実施例２又は実施例３で用いた台紙５と比べ、用いる台紙５ａ、５ｂの形状が単純になるので、熱圧着フィルム（シークレットフィルム）１５の貼り合わせも簡単になる。
【００４８】
【発明の効果】
以上説明したように本発明のブリスターパックによれば、台紙とブリスターケースがステープルで止められておらず、二層又は三層以上の多層に折り重ね貼着された台紙を剥離することによって商品を取り出せるので、消費者は商品を取り出すのが容易であり、かつステープルで手を怪我をすることもない。さらに一度剥離した台紙は二度と貼着しないので万引きの防止にもつながる。又台紙の外側の２面以上及び内側の２面以上の合計４面以上に印刷を行なうことができるため、商品の取り扱い説明書、保証書などの商品に関する多くの情報を台紙に印刷するができ、さらに台紙の内面８に懸賞くじ、割引点数、アンケートやクイズ等、返信用はがきなどの情報を印刷することにより、消費者の射幸心をあおり、商品購入を促進することができるという効果が得られる。
【図面の簡単な説明】
【図１】本発明の実施例１のブリスターパックを正面側から見たときの斜視図（ア）、並びに背面側から見たときの斜視図（イ）をそれぞれ示す。
【図２】実施例１のブリスターパックの作製方法を示す説明図である。
【図３】本発明の実施例２のブリスターパックを正面側から見たときの斜視図（ウ）、並びに背面側から見たときの斜視図（エ）をそれぞれ示す。
【図４】実施例２のブリスターパックの作製方法を示す説明図である。
【図５】本発明の実施例３のブリスターパックを正面側から見たときの斜視図（オ）、並びに背面側から見たときの斜視図（カ）をそれぞれ示す。
【図６】実施例３のブリスターパックの作製方法を示す説明図である。
【図７】本発明の実施例４のブリスターパックを正面側から見たときの斜視図（キ）、並びに背面側から見たときの斜視図（ク）をそれぞれ示す。
【図８】本発明の実施例５のブリスターパックを正面側から見たときの斜視図（ケ）、並びに背面側から見たときの斜視図（コ）をそれぞれ示す。
【図９】本発明の実施例６のブリスターパックを正面側から見たときの斜視図（サ）、並びに背面側から見たときの斜視図（シ）をそれぞれ示す。
【図１０】本発明の実施例７のブリスターパックを正面側から見たときの斜視図（ス）、並びに背面側から見たときの斜視図（セ）をそれぞれ示す。
【図１１】本発明の実施例８のブリスターパックを正面側から見たときの斜視図（ソ）、並びに背面側から見たときの斜視図（タ）をそれぞれ示す。
【図１２】本発明の実施例９のブリスターパックを正面側から見たときの斜視図（チ）、並びに背面側から見たときの斜視図（ツ）をそれぞれ示す。
【図１３】実施例９のブリスターパックの作製方法を示す説明図である。
【図１４】従来のブリスターパックを正面側から見たときの斜視図（テ）、並びに背面側から見たときの斜視図（ト）をそれぞれ示す。
【符号の説明】
１．ブリスターパック  ２．ブリスターケース  ３．容器部  ４．フランジ部  ５、５ａ．台紙  ５ｂ．台紙片  ６．正面側台紙片  ７，７ａ，７ｂ，７ｃ，７ｄ，７ｅ．背面側台紙片  ８．内面  ９．外面  １０．窓穴  １１．角部  １２．商品に関する情報  １３．商品購入の促進のための情報  １４．剥離糊  １５．熱圧着フィル（シークレットフィルム）  １６．商品  １７，１８，１９．折り目  ２０ａ，２０ｂ．直線からなる切断線  ２１．曲線からなる切断線  ２２．直線部分  ２３．曲線部分  ２４ａ，２４ｂ．切断線  ２５．二枚の部分片  ２６．窓穴に対応する部位  ２７．ブリスターパック  ２８．ブリスターケース２９．端縁部分  ３０．台紙  ３１．正面  ３２．背面  ３３．商品  ３４．ステープル
【図１】
2004250030.tif 000003
【図２】
2004250030.tif 000004
【図３】
2004250030.tif 000005
【図４】
2004250030.tif 000006
【図５】
2004250030.tif 000007
【図６】
2004250030.tif 000008
【図７】
2004250030.tif 000009
【図８】
2004250030.tif 000010
【図９】
2004250030.tif 000011
【図１０】
2004250030.tif 000012
【図１１】
2004250030.tif 000013
【図１２】
2004250030.tif 000014
【図１３】
2004250030.tif 000015
【図１４】
2004250030.tif 000016